(57)【要約】【課題】  特に薬剤を包装する包装材であって患者が包装材を破断して内部の薬剤を取り出したことが検証可能な検知システムを得る。【解決手段】  内部に内容品を密封保持し、予め定められた周波数の共振信号を通過させる共振導体パターンを備えた包装材と、包装材に予め定められた周波数の信号を送出し、共振導体パターンを通過した共振信号を受信する受信手段を備えた検知装置とからなる検知システムであって、検知装置には共振導体パターンを通過した共振信号を受信しつつ共振導体パターンの一部又は全部の破壊により共振信号が変化・消失する状況を日時情報と共に記録する記録手段を更に備えたもの。【選択図】      図２
2018019812.tif 000002
【特許請求の範囲】
【請求項１】
内部に内容品を密封保持し、予め定められた周波数の共振信号を通過させる共振導体パターンを備えた包装材と、
前記包装材に予め定められた周波数の信号を送出し、共振導体パターンを通過した共振信号を受信する受信手段を備えた検知装置とからなる検知システムであって、
前記検知装置には、前記共振導体パターンを通過した共振信号を受信しつつ前記共振導体パターンの一部又は全部の破壊により共振信号が変化・消失する状況を日時情報と共に記録する記録手段を更に備えたことを特徴とする検知システム。
【請求項２】
前記包装材の共振導体パターンが、内容品が取り出された際にこの共振導体パターンの一部又は全部が破断されて共振信号が変化するものであることを特徴とする請求項１に記載の検知システム。
【請求項３】
前記包装材が、薄い板状プラスチックを内容品の大きさに合わせて形成された凸状部を有する板状部と、前記凸状部内に内容品を保持した状態で板状部の凸状部の開口面側全面を覆って圧着する薄い台紙とを備え、前期内容品を密封保持するＰＴＰ包装材であり、
前記共振導体パターンの一部が、前記凸状部の開口を覆う薄い台紙に形成されていることを特徴とする請求項１又は２に記載の検知システム。
【請求項４】
請求項１に記載された検知システムの包装材の共振導体パターンを形成するための貼着可能な共振導体パターンシートであって、
予め定められた周波数の共振信号を通過させる共振導体パターン層と、この共振導体パターン層の一面を絶縁する絶縁層と、この絶縁層を既存の包装材の表層に貼着可能な貼着層とを備えたことを特徴とする共振導体パターンシート。
【発明の詳細な説明】
【技術分野】
【０００１】
本発明は、例えば包装された薬剤を患者が包装材を破断して内部の薬剤を服用したことを検知可能な検知システム及び共振導体パターンシートである。
【背景技術】
【０００２】
デパート、ビデオレンタル店、ＤＶＤ・ＣＤショップ等では、存在感知型の非接触性ＩＣタグ（共振タグ）を商品に取付け、万引き防止を実現するシステムが採用されている（例えば、特許文献１参照）。
【０００３】
具体的には、検知装置から発信される特定の周波数の電波に共振する共振回路を構成する共振タグを商品１点ごとに取付ける。この共振タグは、レジでの代金決済の際に取り外されるか、共振タグの登録の解除を行って無効とされる。しかしながら、顧客が代金を支払わず、この共振タグを商品に取り付けたまま、無効とされないまま特定の検知装置を装備したゲートを通過するとブザーやランプ等により警告が発せられる。このようなシステムにより、万引き防止を実現する。
【０００４】
一方、錠剤やカプセル剤等の薬剤については、１錠、１カプセルずつＰＴＰ包装(Press Through Package)されたものが主流である。即ち、ＰＴＰ包装は、透明な薄い板状プラスチックを内容品の大きさに合わせてバキュームフォーム等で凸状に成形し、開口面側全面を薄いアルミ台紙で覆って圧着して包装するものである。内容品は凸状に成形された薄い板状プラスチック越しにアルミ台紙側へ押し出すことにより、内容品によってアルミ台紙を破断して包装体の外へ取り出すことができる。
【０００５】
このような薬剤については、現在の高齢化社会の抱える問題として、処方された薬が正しく服用されたかの検証が難しい問題が挙げられている。例えば、長期の治療が必要な疾病に対する薬剤投与について、処方した薬剤の効果を一定期間後に血液検査等で検証し、次回の処方に役立てることが行われている。この場合、担当医師は、処方した薬剤が正しく服用されたものとして、検証する。
【先行技術文献】
【特許文献】
【０００６】
【特許文献１】特開平０７−０２１４７８号公報
【発明の概要】
【発明が解決しようとする課題】
【０００７】
しかしながら、患者の思い違い等の理由で処方された薬剤が飲まれなかったり、服用しても正確な量でなかった場合には、疾病の症状が軽減されないために、担当医師が更に強い効果を奏する薬剤を投与する必要性を検討することもある。このため、処方された薬剤を患者が正しく服用できているか確認することが重要である。
【０００８】
これに対して、従来の薬手帳等で実施する薬剤の管理では、処方された薬剤を患者が正しく服用できているか確認することができず、結果として、投薬による病状の改善が不明瞭なものになっていた。正しく服用されていれば、その結果を踏まえ正確に次の処置の検討ができるようになるため、医師や薬剤師が患者の服用状況を把握することが望まれていた。
【０００９】
本発明は、内容品を包装材から取り出したことが検知可能な検知システム、即ち包装材に形成された共振導体パターンの正常状態から破壊された状態に変化した差異を読み取ることで、開封された情報を記録することができる検知システムを得ること、特に、薬剤を包装する包装材であって、患者が包装材を破断して内部の薬剤を取り出したことが検証可能な検知システムを得ることを目的とする。また、既存の包装材に貼り付けることでこの検知システムの包装材を得ることができる共振導体パターンシートを得ることを目的とする。
【課題を解決するための手段】
【００１０】
請求項１に記載された発明に係る検知システムは、内部に内容品を密封保持し、予め定められた周波数の共振信号を通過させる共振導体パターンを備えた包装材と、
前記包装材に予め定められた周波数の信号を送出し、共振導体パターンを通過した共振信号を受信する受信手段を備えた検知装置とからなる検知システムであって、
前記検知装置には、前記共振導体パターンを通過した共振信号を受信しつつ前記共振導体パターンの一部又は全部の破壊により共振信号が変化・消失する状況を日時情報と共に記録する記録手段を更に備えたことを特徴とするものである。
【００１１】
請求項２に記載された発明に係る検知システムは、請求項１に記載の包装材の共振導体パターンが、内容品が取り出された際にこの共振導体パターンの一部又は全部が破断されて共振信号が変化するものであることを特徴とするものである。
【００１２】
請求項３に記載された発明に係る検知システムは、請求項１又は２に記載の包装材が、薄い板状プラスチックを内容品の大きさに合わせて形成された凸状部を有する板状部と、前記凸状部内に内容品を保持した状態で板状部の凸状部の開口面側全面を覆って圧着する薄い台紙とを備え、前期内容品を密封保持するＰＴＰ包装材であり、
前記共振導体パターンの一部が、前記凸状部の開口を覆う薄い台紙に形成されていることを特徴とするものである。
【００１３】
請求項４に記載された発明に係る共振導体パターンシートは、請求項１に記載された検知システムの包装材の共振導体パターンを形成するための貼着可能な共振導体パターンシートであって、
予め定められた周波数の共振信号を通過させる共振導体パターン層と、この共振導体パターン層の一面を絶縁する絶縁層と、この絶縁層を既存の包装材の表層に貼着可能な貼着層とを備えたことを特徴とするものである。
【発明の効果】
【００１４】
本発明は、内容品を包装材から取り出したことが検知可能な検知システム、即ち包装材に形成された共振導体パターンの正常状態から破壊された状態に変化した差異を読み取ることで、開封された情報を記録可能な検知システムを得ることができる。特に、薬剤を包装する包装材であって、患者が包装材を破断して内部の薬剤を取り出したことが検証可能な検知システムを得ることができるという効果を奏する。また、既存の包装材に貼り付けることでこの検知システムの包装材を作製可能な共振導体パターンシートを得ることができるという効果を奏する。
【図面の簡単な説明】
【００１５】
【図１】本発明の検知システムの概要構成を示す説明図である。
【図２】図１の検知システムの一実施例の構成を示す説明図であり、ａ図は一部の拡大図を含む断面図、ｂ図は底面図である。
【図３】包装材に形成された共振導体パターンの例を示す平面図である。
【図４】図３の共振導体パターンの周波数特性を示す線図である。
【図５】図３の共振導体パターンの一部を破断した状態を示す平面図である。
【図６】図５の共振導体パターンの周波数特性を示す線図である。
【発明を実施するための形態】
【００１６】
本発明は、内部に内容品を密封保持し、予め定められた周波数の共振信号を通過させる共振導体パターンを備えた包装材と、前記包装材に予め定められた周波数の信号を送出し、共振導体パターンを通過した共振信号を受信する受信手段を備えた検知装置とからなる検知システムであって、前記検知装置には、前記共振導体パターンを通過した共振信号を受信しつつ前記共振導体パターンの一部又は全部の破壊により共振信号が変化・消失する状況を日時情報と共に記録する記録手段を更に備える。これより、内容品を包装材から取り出したことが検知可能な検知システムを得ることができる。
【００１７】
即ち、共振導体パターンを通過した共振信号を受信しつつ前記共振導体パターンの一部又は全部の破壊による共振信号が変化・消失する状況を日時情報と共に記録する記録手段を更に備えることにより、記録データを経時的に検証することにより、内容品を包装材から取り出したことが検知可能となる。これにより、特に内容品が薬剤であれば、薬剤を患者が包装材を破断して内部の薬剤を服用したことを検知可能となる。
【００１８】
本発明の検知装置としては、予め定められた周波数特性の共振信号を通過させる包装材の共振導体パターンからの通過信号を受信する受信手段と、前記共振導体パターンを通過した共振信号を受信しつつ前記共振導体パターンの一部の破壊による共振信号が変化・消失する状況を日時情報と共に記録する記録手段とを備えることにより、前記包装材の共振導体パターンから発信された情報データを読み取り、記録手段に日時情報と共に記録されればよい。
【００１９】
これによって、包装材から内容品を取り出したことが記録手段に記録され、後日、この記録手段を検証することにより、内容品が包装材から取り出されたことを検証することができる。特に、内容品が処方された薬剤であれば、処方された薬剤が正しく服用されていたか否かが確認される。正しく服用されていれば、担当医師によってその結果を踏まえ正確に次の処置の検討ができるようになる。尚、記録手段としては、検知装置の内部に設置されても、又は外部に無線その他の通信手段によって記録されるものであってもよい。
【００２０】
本発明の共振導体パターンを備えた包装材としては、内部に内容品を密封保持する包装材であって、予め定められた周波数の共振信号を通過させ共振導体パターンを備えたものであればよい。この共振導体パターンは、接触型又は非接触型とすることができる。即ち、接触型は、端子等で共振導体パターンにグランドとプローブとを導通することにより、形成された導体パターンによって予め定められた周波数の共振信号を通過させることができる。
【００２１】
また、波長の短いマイクロ波であれば、導体パターン長さの半波長(λ／２)や１／４波長(λ／４)の周波数の信号に共振した共振信号を通過させることができる。この場合には、特定の周波数の信号を共振導体パターンに近接させて、通過した共振信号を受信すればよい。
【００２２】
また、本発明の検知装置としては、具体的には、包装材から内容物を取り出す際に、共振導体パターンが破断された際に、共振導体パターンを通過した予め定められた周波数特性の共振信号を受信する受信手段と、共振信号が変化・消失する状況を日時情報と共に記録する記録手段とを少なくとも備える。記録手段に加えて、包装材に備えられた共振導体パターンに応じた他の機能を供えても良い。
【００２３】
本発明の好ましい包装材としては、内部に内容品を密封保持するものであればよく、この包装材の内容品が取り出された際にこの共振導体パターンの一部が破断されて共振信号が変化する共振導体パターンが形成されていれば良い。例えば、錠剤やカプセル剤の薬剤を包装するＰＴＰ包装材では、１０錠又は１４錠を１セットとして１シートに形成される。この場合、１セットの１０錠又は１４錠が取り出される際にアルミ台紙が破断する開口部に同じか又は相違する共振導体パターンを形成させておけば良い。
【００２４】
尚、ＰＴＰ包装では切り離しやすいようにミシン目が入っていたが、内服薬をＰＴＰシートに包装されたまま取り出さずに、包装材ごと服用してしまう誤飲事故が増加したため、２０１３年より「薬の１錠切り離し」を禁止して、少なくとも１錠ずつには切り離せないようになっている。このため、切り離し可能な２錠の開口部を相違する共振導体パターンとしても良い。尚、本明細書においては、原理説明の容易化のため、１錠分で説明している。
【００２５】
個々の共振導体パターンは、導体パターンの幅、長さや形成パターンの形状等によって共振信号の周波数特性が相違する。このため、破断によって変更・消失する前の共振信号を認識することにより、包装体から取り出された内容品が確認される。従って、薬剤によって異なる共振導体パターンを用いることにより、複数の薬剤を調剤された際にも、担当医師によって個々の薬剤を確認することができる。
【００２６】
本発明のより好ましい包装材としては、包装材が、薄い板状プラスチックを内容品の大きさに合わせて形成された凸状部を有する板状部と、前記凸状部内に内容品を保持した状態で板状部の凸状部の開口面側全面を覆って圧着する薄い台紙とを備え、前期内容品を密封保持するＰＴＰ包装材であり、この共振導体パターンの一部が、前記凸状部の開口を覆う薄い台紙に形成されているものが挙げられる。即ち、好ましい包装材としては、プリスター包装とも言われるＰＴＰ(Press Throuh Package)包装の内容品を取り出す際に破断される薄いアルミ台紙上に共振導体パターンが形成される。
【００２７】
この場合、共振導体パターンは、予め定められた周波数の共振信号を通過させる導体パターン層と、この導体パターン層の一面を絶縁する絶縁層とで形成され、この絶縁層を介して包装材の薄いアルミ台紙上に形成させれば良い。内容品が薄い台紙を破断して包装材の外へ取り出された際に共振導体パターン層の一部が破断されれば、共振信号が変化又は消失する。これを記録手段で日時情報と共に記録すれば良い。
【００２８】
また、既存のＰＴＰ包装材であれば、予め定められた周波数の共振信号を通過させる共振導体パターン層と、この共振導体パターン層の一面を絶縁する絶縁層と、この絶縁層を既存の包装材の表層に貼着可能な貼着層とを備えた貼着シートとして、共振導体パターンシートを既存のアルミ台紙上に、内容品を取り出す際に共振導体パターンの一部が既存のアルミ台紙と共に破断するように貼り付けることで本発明の検知システムの包装材が得られる。
【実施例】
【００２９】
図１は本発明の検知システムの概要構成を示す説明図である。図２は図１の検知システムの一実施例の構成を示す説明図であり、ａ図は一部の拡大図を含む断面図、ｂ図は底面図である。図３は包装材に形成された共振導体パターンの例を示す平面図である。図４は図３の共振導体パターンの周波数特性を示す線図である。図５は図３の共振導体パターンの一部を破断した状態を示す平面図である。図６は図５の共振導体パターンの周波数特性を示す線図である。
【００３０】
図１及び図２に示す通り、本実施例の検知システム１０は、共振導体パターン２６を備えた包装材２０と、この共振導体パターン２６の共振信号を受信・記録する検知装置３０とからなる。検知装置３０には、予め定められた周波数の信号を発振・送信する発信手段としての発振器３４と、包装材２０の共振導体パターン２６を通過した共振信号を受信する受信手段３２と、この受信手段３２で共振導体パターン２６を通過した共振信号を受信しつつ共振導体パターン２６の一部の破壊による共振信号が変化・消失する状況を日時情報と共に記録する記録手段３３とを備える。
【００３１】
薄い板状プラスチックを内容品の大きさに合わせて形成された凸状部２２を有する板状部２１に、この凸状部２２内に内容品としてカプセル剤２３を保持した状態で板状部２１の凸状部２２の開口部２４側全面を薄いアルミ台紙２５で覆って圧着して密封保持されたＰＴＰ包装材２０と、包装材２０からカプセル剤２３を取り出す際に、包装材２０の開口部２４から排出されるカプセル剤２３が通過する開口３１が穿設された板状の検知装置３０とを備える。
【００３２】
図２に示す通り、包装材２０のアルミ台紙２５の下面側表層には、その略全面に第１絶縁層２７が形成され、更にその下面側表層に予め定められた周波数の共振信号に共振する共振導体パターン２６が形成されている。即ち、この共振導体パターン２６は第１絶縁層２７を介して、凸状部２２の開口部２４を複数本跨ぐようにアルミ台紙２５上に形成されている。
【００３３】
尚、本実施例の共振導体パターン２６は、図３に示すようなパターンとしている。即ち、カプセル剤２３を間にしてその両サイドにグランドとプローブとなる一組の矩形状パターンが形成されている。これらグランドとプローブとのパターンと、これらを連絡するように蛇腹状（メアンダライン状）の回路パターンとで共振導体パターン２６が形成されている。
【００３４】
尚、図２及び図３に示す通り、包装材２０のアルミ台紙２５の下面側表層に形成される第１絶縁層２７はアルミ台紙２５の両端部の一部には形成されていない、アルミ台紙２５が表出している表出領域が存在している。この表出領域は、検知装置３０側の対向位置に形成された接地端子２８と連通して、アルミ台紙２５に通電してアルミ台紙２５をグランドとする。
【００３５】
検知装置３０の開口３１を挟んで２つの信号結合部３５が配され、一方は発振器３４に連設され、他方は受信手段３２に連設されている。各々の信号結合部３５の共振導体パターン２６側の表面には第２絶縁層３６が形成され、検知装置３０に包装材２０を近接させて接地端子２８に連通させた場合に、共振導体パターン２６はアルミ台紙２５の第１絶縁層２７及び信号結合部３５の第２絶縁層３６とに挟まれ、マイクロストリップラインのような構成となる。
【００３６】
この際には、検知装置３０の発振器３４で発振された高周波信号が一方の信号結合部３５と第１絶縁層２７及び接地端子２８を介して、共振導体パターン２６に送出される。共振導体パターン２６を通過した信号は、他方の信号結合部３５と第１絶縁層２７及び接地端子２８を介して受信手段３２に到達するように構成されている。
【００３７】
このような検知システム１０であるため、図２のａ図に示す通り、包装材２０の共振導体パターン２６のグランドとプローブとを検知装置３０の信号結合部３５に合わせ、凸状部２２越しに内部のカプセル剤２３をアルミ台紙２５側へ押し出すことにより、カプセル剤２３によってアルミ台紙２５を破断すると共に、共振導体パターン２６の一部又は全部を破断する。受信手段３２で共振導体パターン２６を通過した共振信号を受信し、これを記録手段３３に日時情報と共に共振導体パターン２６の一部又は全部の破壊による共振信号が変化・消失する状況を記録する。
【００３８】
本実施例の共振導体パターン２６は、圧着、端子等で共振導体パターンに対してグランドとプローブとを導通することにより、形成された共振導体パターン２６によって予め定められた周波数の共振信号を通過させる。即ち、共振導体パターン２６の一端部を発振器３４に他端部を受信手段３２に第２絶縁層３６を介して結合させ、アルミ台紙２５をグランドとしマイクロストリップライン様の構成となる。
【００３９】
発振器３４及び受信手段３２への信号の結合は、検知装置３０に配された検知端子２８で包装材２０の開口部２４を検知装置３０の開口３１に合わせて配置した際に結合させ、共振信号を通過させる。通過した共振信号は検知装置３０の開口３１の対向する縁部に配した受信手段３２で受信される。
【００４０】
この状態で、図２のａ図の通り、上方より凸状部２２越しに内部のカプセル剤２３をアルミ台紙２５側へ押し出すことにより、カプセル剤２３によってアルミ台紙２５を破断すると共に、共振導体パターン２６の一部又は全部を破断する。共振導体パターン２６の破断によって、受信手段３２で受信されていた共振信号が変化・消失する。この変化・消失の状況を日時情報と共に記録手段３３に記録される。この記録手段３３を検証することにより、内容品が包装材から取り出されたことを検証することができる。
【００４１】
尚、受信手段３２に付随して、データ照合手段を更に備え、受信された周波数特性を予め記録しておいた周波数特性と比較して、検出された周波数特性によって内容品の薬剤がどのようなものなのかをデータ照合し、照合によって得られた薬剤情報と日時情報とを記録手段３３に記録させても良い。
【００４２】
次に具体的な共振導体パターンの破断前、破断後の変化を検証した。図３に示す通り、包装材２０の開口部２４を覆うように配した共振導体パターン４６を想定した。この共振導体パターン４６は、導通回路幅１ｍｍであり、パターン４６の全体大きさは約１０×２０mmとした。
【００４３】
この図３に示した共振導体パターン４６は、共振導体パターン４６の背景にグランドを配置し、一端部を発振器３４に他端部を受信手段３２に絶縁層を介して結合させた。この時の周波数特性を図４に示した。図４に示す通り、図３の共振導体パターン４６は周波数約０．５５ＧＨｚに一つのピークを備えた周波数特性を有していることが判った。
【００４４】
図５に示す通り、図３の共振導体パターン４６の一部を破断した共振導体パターン６６を作製して図３と同様に、共振導体パターン６６の背景にグランドを配置し、一端部を発振器３４に他端部を受信手段３２に絶縁層を介して結合させた。この時の周波数特性を図６に示した。図６に示す通り、図５の共振導体パターン６６は、図４に示すような周波数約０．５５ＧＨｚのピークが消失していることが判った。また、共振導体パターン４６が更に多くの部分で又は全てで破断されれば、周波数約０．５５ＧＨｚのピークの消失はもっと大きくなることは自明である。
【００４５】
尚、図２の共振導体パターン２６は、共振導体パターンシートを貼着することにより得られる。即ち、既存の包装材のアルミ台紙２５の表面に共振導体パターン２６を貼着して形成する場合には、予め定められた周波数の共振信号を通過させる共振導体パターン層と、この共振導体パターン層の裏面側に形成された絶縁層とを、この絶縁層の裏面側に形成された貼着層（図示せず）とを備えた共振導体パターンシートを貼着することにより得られる。
【００４６】
以上の通り、共振導体パターンを通過した共振信号を受信しつつ、内容品の取り出しによって共振導体パターンの一部又は全部の破壊による共振信号が変化・消失する状況を日時情報と共に記録する記録手段を更に備えることにより、記録データを経時的に検証することにより、内容品を包装材から取り出したことが検知可能となる。これにより、特に内容品が薬剤であれば、薬剤を患者が包装材を破断して内部の薬剤を服用したことを検知可能となる。
【符号の説明】
【００４７】
１０…検知システム、
２０…包装材、
２１…板状部、
２２…凸状部、
２３…カプセル剤（薬剤）、
２４…開口部、
２５…アルミ台紙、
２６…共振導体パターン、
２７…第１絶縁層、
２８…接地端子、
３０…検知装置、
３１…開口、
３２…受信手段、
３３…記録手段、
３４…発振器、
３５…信号結合部、
３６…第２絶縁層、
４６…共振導体パターン、
６６…共振導体パターン、
【図１】
2018019812.tif 000003
【図２】
2018019812.tif 000004
【図３】
2018019812.tif 000005
【図４】
2018019812.tif 000006
【図５】
2018019812.tif 000007
【図６】
2018019812.tif 000008